(57)【要約】    【課題】  より生産性の向上を図ることができる画像読取装置を提供する。    【解決手段】  スキャナユニット３２を略固定された位置に配し、光源３３からの光を搬送される原稿Ｐに照射し、ＣＣＤセンサ３８で、レンズ３７で集光された反射光を検出することにより画像を読み取る画像読取装置において、筐体１５に設けられた開口部１６をコンタクトガラス３１１で塞ぐとともに、コンタクトガラス３１１にシェーディング補正の基準値を得るための白色部材３１２を配し、シェーディング補正の基準値を得るべきタイミングで、白色部材３１２が光源３３からの光を反射する反射位置に配されるようにコンタクトガラス３１１を移動させる。【選択図】          図４
2007074445.tif 000002
【特許請求の範囲】
【請求項１】
筐体内部において固定された位置に配された光源からの光を搬送される原稿に照射し、レンズで集光された反射光をセンサで検出することにより原稿画像を読み取る画像読取装置であって、
前記筐体に設けられた、原稿画像読取の際に前記光源からの光が通過する開口部を塞ぐとともに、その一部に、前記光源からの光を反射してシェーディング補正の基準値を得るための白色基準領域が設けられたコンタクトガラスと、
前記コンタクトガラスを、前記開口部を塞ぐ状態のままで移動させる移動手段と、
シェーディング補正の基準値を得るタイミングを制御する制御手段と、
前記白色基準領域に反射した反射光を前記センサにより検出して、シェーディング補正の基準値を取得する基準値取得手段とを備え、
前記コンタクトガラスは、
原稿画像を読み取るタイミングでは、前記光源からの光が前記開口部を通過して原稿に照射される位置に配されるとともに、
前記移動手段は、
前記シェーディング補正の基準値を得るタイミングで、前記白色基準領域が前記開口部内であって前記光源からの光を反射する反射位置に配されるように前記コンタクトガラスを移動させる
ことを特徴とする画像読取装置。
【請求項２】
前記白色基準領域は、前記コンタクトガラスの原稿側面に、コンタクトガラス側が白色であって、その長手方向が主走査方向と一致する帯状の部材を固着して設けられる
ことを特徴とする請求項１に記載の画像読取装置。
【請求項３】
前記帯状の部材は、フィルム又はシート状の部材である
ことを特徴とする請求項２に記載の画像読取装置。
【請求項４】
前記移動手段は、
複数枚の原稿が搬送される場合に、一の原稿の画像を読みとった後、次の原稿が画像読み取り位置に搬送されるまでの間のタイミングで、前記白色基準領域を前記反射位置へと移動させる
ことを特徴とする請求項１から３のいずれかに記載の画像読取装置。
【請求項５】
前記制御手段は、
シェーディング補正の基準値として、前記白色基準領域の中の副走査方向の異なる位置において複数の基準値を取得するようにタイミングを制御し、
前記移動手段は、
前記タイミングにおいて、前記白色基準領域が移動するように前記コンタクトガラスを移動させる
ことを特徴とする請求項１から４のいずれかに記載の画像読取装置。
【請求項６】
前記移動手段は、
原稿が前記開口部と対向して搬送されている間にも、前記コンタクトガラスを移動させる
ことを特徴とする請求項１から５のいずれかに記載の画像読取装置。
【発明の詳細な説明】
【技術分野】
【０００１】
本発明は、画像読取装置に関し、特に、固定された位置に配された光源からの光を搬送される原稿に照射し、レンズで集光された反射光をセンサで検出することにより原稿画像を読み取る画像読取装置に関する。
【背景技術】
【０００２】
画像読取装置の中には、自動原稿搬送装置（ＡＤＦ）にて順次搬送される原稿に、画像読取装置筐体内において略同一の位置に固定して配された光源から光を照射し、反射光を検出することにより順次画像を読み取るものがある。このような流し撮りタイプの画像読取装置には、例えば特許文献１に開示されているような密着光学系のものと、反射光をレンズで集光してＣＣＤ等のセンサで検出する縮小光学系のものとがある。
【０００３】
上記のような画像読取装置においては、光源の発光量の経時変動、温度変化に伴う変動、ＣＣＤ等の光電変換部の感度の変動等の他、縮小光学系の場合には、反射光を集光するレンズのコサイン４乗則等による読取濃度の変動があり、これらの変動に起因する画質の低下を防止するため、いわゆるシェーディング補正が行われる。シェーディング補正の際には、基準値を得るための白色基準板が設けられた位置まで光源を移動させて白基準データを取得し、得られた白基準データを用いて補正を行うのが一般的である。
【０００４】
【特許文献１】特開平１０−３０４１９５号公報
【０００５】
【特許文献２】特開２００１−２７２８２９号公報
【発明の開示】
【発明が解決しようとする課題】
【０００６】
例えば、光源としてキセノンランプを用いた場合、光量の経時劣化を補正するため、初期の１分間で３〜４回のシェーディング（白基準データの取得）を行う。光源として熱陰極管や冷陰極管を用いた場合には、シェーディングの回数はさらに多くなる可能性もある。前記したようにシェーディング補正の際に光源を移動させる構成であると、所定時間（例えば１分間）内に読み取れる原稿の枚数、即ち生産性の向上に限界が生じる。
【０００７】
本発明は係る問題点に鑑みてなされたものであって、より生産性の向上を図ることができる画像読取装置を提供することを目的としている。
【課題を解決するための手段】
【０００８】
上記の問題点を解決するために、本発明に係る画像読取装置は、筐体内部において固定された位置に配された光源からの光を搬送される原稿に照射し、レンズで集光された反射光をセンサで検出することにより原稿画像を読み取る画像読取装置であって、前記筐体に設けられた、原稿画像読取の際に前記光源からの光が通過する開口部を塞ぐとともに、その一部に、前記光源からの光を反射してシェーディング補正の基準値を得るための白色基準領域が設けられたコンタクトガラスと、前記コンタクトガラスを、前記開口部を塞ぐ状態のままで移動させる移動手段と、シェーディング補正の基準値を得るタイミングを制御する制御手段と、前記白色基準領域に反射した反射光を前記センサにより検出して、シェーディング補正の基準値を取得する基準値取得手段とを備え、前記コンタクトガラスは、原稿画像を読み取るタイミングでは、前記光源からの光が前記開口部を通過して原稿に照射される位置に配されるとともに、前記移動手段は、前記シェーディング補正の基準値を得るタイミングで、前記白色基準領域が前記開口部内であって前記光源からの光を反射する反射位置に配されるように前記コンタクトガラスを移動させることを特徴としている。
【０００９】
本発明の構成では、コンタクトガラスの一部に白色基準領域を設け、移動手段が、シェーディング補正の基準値を得るタイミングで、前記白色基準領域が前記開口部内であって前記光源からの光を反射する反射位置に配されるように前記コンタクトガラスを移動させる。この場合、コンタクトガラスが透明であるため、白色基準領域の移動を原稿読み取り中に行うことができ、生産性の向上に寄与する。
【００１０】
前記白色基準領域は、前記コンタクトガラスの原稿側面に、コンタクトガラス側が白色であって、その長手方向が主走査方向と一致する帯状の部材を固着して設けられる構成とすることが好ましい。原稿はコンタクトガラス表面に接触しつつ搬送されることが多く、白色基準領域における光源からの光の反射位置の高さが原稿読み取り高さと略一致することとなり、基準データの取得に好適だからである。
【００１１】
前記帯状の部材は、フィルム又はシート状の部材である構成とすることができるが、これに限定されることはない。基本的には従来シェーディング補正の基準値取得に用いられてきた部材と同様の部材を用いることができる。
前記移動手段は、複数枚の原稿が搬送される場合に、一の原稿の画像を読みとった後、次の原稿が画像読み取り位置に搬送されるまでの間のタイミングで、前記白色基準領域を前記反射位置へと移動させる構成とすることができる。
【００１２】
前記制御手段は、シェーディング補正の基準値として、前記白色基準領域の中の副走査方向の異なる位置において複数の基準値を取得するようにタイミングを制御し、前記移動手段は、前記タイミングにおいて、前記白色基準領域が移動するように前記コンタクトガラスを移動させる構成とすることができる。複数回取得した基準値のピーク値を白基準値として設定することで、コンタクトガラスに付着したゴミ等によるノイズの影響を低減することができる。
【発明の効果】
【００１３】
本発明に係る画像読取装置によると、より生産性を向上させることができるという効果がある。
【発明を実施するための最良の形態】
【００１４】
以下、本発明の実施の形態について図面を参照しながら説明する。なお、本実施の形態では、本発明に係る画像読取装置を搭載した複写機を例として説明する。
（１）複写機１００の構成
【００１５】
以下、本実施の形態の複写機１００の構成について説明する。図１は、複写機１００の全体構成を示す概略断面図である。複写機１００は、自動原稿搬送装置（以下、「ＡＤＦ」という。）１０、スキャナ部３０、画像処理部４０、プリンタ部５０、給紙部７０を含んでいる。なお、複写機１００の筐体上部には、ユーザインタフェースとしての操作パネル部１５０が配されている。操作パネル１５０には、数字などを入力するための複数のキーや、複写の開始（原稿の読み取りの開始）を指示するスタートキーなどが配された操作部１５１、及び、ユーザに対してメッセージや指示を与える画面や、ユーザが処理内容などを入力するための画面が表示される液晶タッチパネル１５２が設けられている（図３参照）。
【００１６】
ＡＤＦ１０は、原稿トレイ１１上に載置された原稿を自動的に原稿排紙トレイ１３へと搬送するとともに、原稿が搬送原稿読取部１４を通過する間にスキャナ部３０にて原稿が読み取られる流し撮りタイプのものである。ＡＤＦ１０にて搬送される原稿を読み取る間、スキャナ部３０のスキャナユニット３２、ミラーユニット３２１等は、略同一の原稿読取位置に固定して配される。
【００１７】
また、スキャナ部３０は、スキャナユニット３２等を矢印ａ方向に移動させることにより、プラテンガラス３１上に載置され、ＡＤＦ１０の原稿押さえ面１２により、その位置が固定された原稿の画像を光学的に読み取る。スキャナ部３０は、スキャナユニット３２やミラーユニット３２１、レンズ３７、ＣＣＤセンサ３８、及びスキャナモータＭ２などから構成される。スキャナユニット３２は、光源３３と、当該光源３３の照射による原稿からの反射光をプラテンガラス３１に平行な方向に光路変更するミラー３４を含んでおり、スキャナモータＭ２の駆動で図の矢印ａ方向に移動することによりプラテンガラス３１上の原稿をスキャンする。原稿からの反射光はミラー３４に反射された後、さらにミラー３５、３６およびレンズ３７を介してＣＣＤセンサ３８まで導かれ、ここで電気信号に変換されて画像信号が生成される。
【００１８】
なお、生成された画像信号は、画像信号処理部３９においてＡ／Ｄ変換されてデジタル信号となり、白基準データを用いたシェーディング補正や濃度変換処理等の画像処理を施された後、１ページごとの原稿画像データとしてメモリユニット４１に格納される。メモリユニット４１に格納された原稿画像データは、必要に応じて、画像処理部４０にて画像の拡大、縮小等の画像処理がなされた後、印字処理部４２へと送られる。印字処理部４２は、レーザダイオード（ＬＤ）５１の駆動信号を生成する。プリンタ部５０は、生成された駆動信号に基づいて画像形成を行う。
【００１９】
プリンタ部５０は、公知の電子写真方式により記録シート上に画像を形成するものである。印字処理部４２はＬＤ５１の駆動信号を生成し、当該駆動信号に基づいてＬＤ５１を駆動させて、レーザ光を出射させる。レーザ光は、所定の角速度で回転するポリゴンミラー５２側面のミラー面で反射され、ｆθレンズ５３、ミラー５４、５５を介して、矢印ｂ方向に回転駆動される感光体ドラム５６の表面を露光走査する。
【００２０】
この感光体ドラム５６の周辺には、クリーニング部５７、イレーサランプ（図示せず）、帯電チャージャ５８、現像器５９が設けられているが、これらの動作については詳細な説明を省略する。給紙部７０には、２つのカセット７１、７２が設けられており、上記感光体ドラム５６の露光および現像の動作と同期して、必要なサイズの記録シートが、カセット７１、７２のいずれかから給紙される。給紙された記録シートは、感光体ドラム５６の下方に搬送され、感光体ドラム５６表面に形成されたトナー像が当該記録シート表面に転写される。
【００２１】
その後、記録シートは感光体ドラム５６の表面から分離され、搬送ベルト６２により定着部６３へと搬送される。定着部６３において、記録シート表面に転写されたトナー像が定着される。定着後の記録シートは、排紙トレイ６６上に排出される。なお、以上のような用紙搬送、及び感光体ドラム５６の駆動はメインモータＭ１にて制御される。
【００２２】
図２は、本実施の形態の複写機１００におけるハードウェア構成の一例を示す図である。同図に示されるように、ＡＤＦ１０、スキャナ部３０、プリンタ部５０、給紙部７０等の各部（メインモータＭ１、スキャナモータＭ２を含む。）の動作、液晶タッチパネル１５２への表示等はＣＰＵ２０１により制御される。また、ユーザによる操作部１５１、液晶タッチパネル１５２への入力はＣＰＵ２０１へと入力される。ＣＰＵ２０１には、ＲＯＭ２１０、ＲＡＭ２２０、およびハードディスク２３０などの各種記憶装置が接続されている。各部の制御は、ＲＯＭ２１０に記憶されたプログラム、ハードディスク２３０に格納され、ＲＡＭ２２０にロードされたプログラム等の各プログラムがＣＰＵ２０１上で動作することにより実現される。ＲＯＭ２１０若しくはＲＡＭ２２０として不揮発性の書き換え可能な半導体メモリを用いることもできる。
【００２３】
（２）搬送原稿読取部１４の構成
以下、搬送原稿読取部１４の構成について説明する。本実施の形態の搬送原稿読取部１４として図１に示されている部分は、上記した流し撮りの画像読取機構において、原稿トレイ１１から原稿排紙トレイ１３に向けて搬送される原稿から画像を読み取る部分である。図３は、ＡＤＦ１０部分を上方に開いた状態の斜視図、図４、図５は、搬送原稿読取部１４の構成を模式的に示す図である。なお、図４、図５においては説明のため便宜上ミラーユニット３２１を図示しているが、スキャナユニット３２を搬送原稿読取部１４の下方に固定した際のミラーユニット３２１の位置はレンズ３７の特性等に合わせて調整され、必ず同図の位置に配されるわけではない。
【００２４】
図３に示されるように、ＡＤＦ１０の下側の面（プラテンガラス３１に対向する部分の面）はプラテンガラス３１上に載置された原稿を押さえる原稿押え面１２となっており、搬送原稿読取部１４において原稿を読み取るために筐体１５に設けられた開口部１６の上方を、原稿トレイ１１から原稿搬送トレイ１３へと搬送される原稿が通過する。
【００２５】
図４に示されるように、搬送原稿読取部１４において原稿画像の読み取りが行われる際、スキャナユニット３２の位置が、原稿読取のため樹脂製の筐体１５に設けられた開口部１６の下方で固定され、原稿搬送ローラ対１４１及び１４２により原稿トレイ１１から原稿排紙トレイ１３へ向けて搬送される原稿Ｐに光源３３からの光を照射するととともに、ＣＣＤセンサ３８で原稿Ｐからの反射光を検出して原稿画像を読み取る。図中ではコンタクトガラス３１１と原稿Ｐとの間に若干の隙間が開いているが、実際には原稿Ｐがコンタクトガラス３１１表面に接する場合が多い。
【００２６】
開口部１６は、コンタクトガラス３１１で塞がれているが、本実施の形態では、当該コンタクトガラス３１１の原稿Ｐ側の面にシェーディング補正用白基準データを得るための白色基準領域が固定して設けられるとともに、コンタクトガラス３１１が図４の矢印ｃ方向に往復移動可能に構成される。白色基準領域は、その長手方向が主走査方向（図面に垂直な方向）と一致する帯状で、少なくともコンタクトガラス３１１の側が白色である樹脂製フィルム又はシート状部材等３１２（以下「白色部材３１２」と表記する。）を貼付して設けることができる。
【００２７】
白色部材３１２としては、例えば白色のポリプロピレンシートなど、従来用いられていたものと同様の材質を用いることが可能であり、同図４に示されるほど厚みを有する必要はない（本実施の形態では０．３ｍｍ）。なお、白色部材３１２の貼付は、例えば白色部材３１２の端部（白基準データ取得の際に読み取られない部分）において接着剤を用いて行うことができる。また、プラテンガラス３１、コンタクトガラス３１１、白色部材３１２の位置関係を適切に調整すること等により、搬送原稿読取部１４を搬送する場合と、プラテンガラス３１上に載置する場合とで、白色部材３１２を共用することもできる。
【００２８】
図５に示されるように、白基準データ取得の際には、白色部材３１２が、開口部１６内にあって光源３３からの光を反射する反射位置に配されるようにコンタクトガラス３１１を移動させる。前記したように、原稿Ｐ搬送の際には原稿Ｐの読み取り面がコンタクトガラス３１１と接することが多く、白色部材３１２をコンタクトガラス３１１の原稿Ｐ側の面に貼付することにより、白色基準領域における光源３３からの光の反射位置の高さが原稿読み取り高さと略一致することとなり、基準データの取得に好適となる。
【００２９】
コンタクトガラス３１１を矢印ｃ方向（副走査方向）に移動（往復移動）させる構成について詳細な図示は省略しているが、例えば特許文献２に開示があるように、コンタクトガラス３１１を固定部材に固定し、回転カム等により往復運動可能に構成して移動させる構成が考えられる。移動手段の構成はこれに限定されず、コンタクトガラス３１１若しくは固定部材にギア溝を設けてモータの駆動力を伝達する等、矢印ｃ方向に適宜移動させることが可能な構成であればよい。
【００３０】
図６は、白基準データの取得のタイミング及びその際の白色部材３１２の移動について説明するためのタイミング図である。図５に示されるように、原稿Ｐ１の読み取りタイミングと原稿Ｐ２の読み取りタイミングとの間の間隔で白基準データ取得を行う場合、原稿Ｐ１読み取りタイミングでコンタクトガラス３１１を徐々に移動させ（同図ＴＳはコンタクトガラス３１１の移動速度を表す。）、１枚目の原稿Ｐ１読み取りが終了した後、開口部１６から白色部材３１２の端部が臨む。
【００３１】
その後もコンタクトガラス３１１の移動を続け、白色部材３１２が白基準データ取得位置に到達した後、白基準データを取得する。白基準データの取得はコンタクトガラス３１１を等速移動（必ずしも等速でなくてもよいが）させながら、白色部材３１２の異なる位置で白基準データを取得するように複数回（例えば１００〜２００ライン）行うことができる。
【００３２】
白基準データ取得のタイミングは、画像信号処理部３９がＣＣＤセンサ３８の出力値をサンプリングするタイミングとして、例えばＣＰＵ２０１が指示するようにすることができる。複数回取得した白基準データのピーク値を白基準として設定することで、コンタクトガラス３１１に付着したゴミ等によるノイズの影響を低減することができる。
【００３３】
そのまま同一方向にコンタクトガラス３１１を移動させ、白基準データの取得を終えた後はコンタクトガラス３１１の移動速度を減速し、白色部材３１２が開口部１６から見えなくなった後、コンタクトガラス３１１を停止させて原稿Ｐ２の読み取りを行う。なお、再度の白基準データ取得の際には、原稿用紙間隔でコンタクトガラス３１１を逆方向に移動させることにより、上記と同様に白基準データを取得することができる。なお、同図の例では、コンタクトガラス３１１を停止させてから原稿Ｐ２の読み取りを行うように速度制御を行ったが、白色部材３１２が開口部１６から見えなくなった後は、図７に示すように、コンタクトガラス３１１を移動させながら原稿Ｐ２の読み取りを行うこともできる。この点は、透明であるコンタクトガラス３１１に白色部材３１２を固着したことのメリットの一つであり、読み取り可能原稿枚数の増加（生産性の増加）に繋がる。
【００３４】
なお、従来のようにシェーディング補正に際して光源３３を移動する場合、移動する際の風圧により光源３３の温度が若干低下し、光量が不安定となることがあるが、光源３３を固定した状態で白基準データを取得した場合、安定した発光状態を維持しながら白基準データを取得することができる。即ち、コンタクトガラス３１１は、もし平板状でない形状とするとしても、光源３３の温度変化が生じないような形態とすることが好ましい。
【００３５】
（変形例）
以上、本発明の実施の形態について説明したが、本発明の内容が上記実施の形態において説明された具体例によって限定されないことは勿論であり、例えば、以下のような変形例を実施することもできる。
【００３６】
（１）上記実施の形態では、白色部材３１２をコンタクトガラス３１１の、副走査方向略中央部に貼付する構成としたが、図８に示されるように、コンタクトガラス３１１の端部に貼付する構成とし、原稿用紙間隔でコンタクトガラス３１１を矢印ｃ方向に一往復させ、往復する間に白基準データの取得を行うようにしてもよい。この構成であればコンタクトガラス３１１の副走査方向の幅を短くすることができ、装置幅を縮小することができる。
【００３７】
（２）上記実施の形態では、本発明を複写機に適用した場合について説明したが、プリント機能を有しない画像読取装置でも、本発明を適用することは可能である。
【産業上の利用可能性】
【００３８】
本発明は、例えば画像読取装置に適用することができる。
【図面の簡単な説明】
【００３９】
【図１】複写機１００の全体構成を示す概略断面図である。
【図２】複写機１００におけるハードウェア構成の一例を示す図である。
【図３】ＡＤＦ１０部分を上方に開いた状態の斜視図である。
【図４】搬送原稿読取部１４の構成を模式的に示す図である（原稿読み取り時の様子）。
【図５】搬送原稿読取部１４の構成を模式的に示す図である（白基準データ取得時の様子）。
【図６】白基準データの取得のタイミング及びその際の白色部材３１２の移動について説明するためのタイミング図である。
【図７】コンタクトガラス３１１を移動させながら原稿Ｐ２の読み取りを行う場合のタイミング図である。
【図８】本発明の変形例における搬送原稿読取部１４の構成を模式的に示す図である。
【符号の説明】
【００４０】
１０                      ＡＤＦ（自動原稿搬送装置）
１１                      原稿トレイ
１３                      原稿排紙トレイ
１４１、１４２            原稿搬送ローラ対
１５                      筐体
１６                      開口部
３０                      スキャナ部
３１                      プラテンガラス
３１１                    コンタクトガラス
３１２                    白色部材
３２                      スキャナユニット
３３                      光源
３７                      レンズ
３８                      ＣＣＤセンサ
４０                      制御部
４１                      メモリユニット
４２                      印字処理部
５０                      プリンタ部
７０                      給紙部
１００                    複写機
２０１                    ＣＰＵ
【図１】
2007074445.tif 000003
【図２】
2007074445.tif 000004
【図３】
2007074445.tif 000005
【図４】
2007074445.tif 000006
【図５】
2007074445.tif 000007
【図６】
2007074445.tif 000008
【図７】
2007074445.tif 000009
【図８】
2007074445.tif 000010